(57)【要約】被験者の睡眠時間の増加および／または睡眠の質の向上に使用するための１種または２種以上の香料化合物からなる香料組成物が開示されている。被験者における睡眠の質の向上（すなわち、被験者が夜の間に眠っている時間の増加、被験者が夜の間に起きている時間の減少、被験者がレム睡眠を経験する時間の増加、被験者が深い睡眠を経験する時間の増加、被験者が軽い睡眠を経験する時間の増加、および全体的な睡眠効率の増加）に使用するための１つ以上の香料化合物からなる香料組成物が開示されている。この組成物は、様々な消費者最終製品に組み込むことができる。【特許請求の範囲】
【請求項１】
睡眠を改善するフレグランスアコードを特定する、以下のように構成される方法。
a) 以下を含む第一のプロトコル。
被験者グループの各被験者に対照のフレグランスアコードの匂いを嗅がせること、前記被験者グループの各被験者の第一の睡眠パラメータを測定すること。
b) 第2のプロトコルは以下からなる。
前記被験者群の各被験者に、テストされるフレグランスアコードの匂いを嗅がせること、
前記被験者群の各被験者の第2の睡眠パラメータのセットを測定すること。
ｃ）前記第２のプロトコルで得られた睡眠パラメータと前記第１のプロトコルで得られた睡眠パラメータとを比較すること；および
d) 1つ以上の睡眠パラメータを改善するフレグランスアコードを特定すること。
ここで、1つ以上の睡眠パラメータは、総覚醒時間数、総睡眠時間数、睡眠効率、レム睡眠時間数、光睡眠時間数、および深睡眠時間数からなるグループから選択される。
【請求項２】
被験者の少なくとも１つの睡眠パラメータを改善する、以下から構成される方法。
フレグランスアコードを提供すること、
１つ以上の睡眠パラメータを改善するのに有効な量のフレグランスアコードを被験者に投与すること。
ここで、１つ以上の睡眠パラメータは、総覚醒時間数、総睡眠時間数、睡眠効率、レム睡眠時間数、光睡眠時間数、および深睡眠時間数からなるグループから選択される。
【請求項３】
フレグランスアコードが、サリチル酸シス-３-ヘキセニル、少なくとも1つのムスク化合物、および少なくとも1つのフローラル化合物からなる、請求項２に記載の方法。
【請求項４】
ムスク化合物がアンブロキサン、アンブレトン、L-ムスコン、(１２E)-１-オキサシクロヘキサデック-１２-エン-2-オンおよびムスクTからなる群から選択される請求項３に記載の方法。
【請求項５】
フローラル化合物が、ミルセノール、α−イオノン、リナロール、リナリルアセテート、シクラメンアルデヒド、ジヒドロミルセノール、リリアール、ゲラニオール、γ-メチルイオノン、ネロール、およびヘディオンからなる群から選択される、請求項３に記載の方法。
【請求項６】
ムスク化合物が、アンブロキサン、アンブレトン、Ｌ-ムスクコーネおよびムスクＴからなる群から選択され、フローラル化合物が、ミルセノール、α−イオノン、リナロール、リナリルアセテート、シクラメンアルデヒド、ジヒドロミルセノール、リリアール、ゲラニオール、γ-メチルイオノン、ネロール、およびヘディオンからなる群から選択される、請求項３に記載の方法。
【請求項７】
フレグランスアコードがさらに、柑橘類、スパイシー様、メントール様、フルーツ様、ウッディ様、アルデヒド様、ハーブ様、バルサム様、またはグルマン化合物のうちの１つまたは複数からなる、請求項３に記載の方法。
【請求項８】
フレグランスアコードが、β-イオノン、少なくとも1つのフローラル化合物、および少なくとも1つのムスク化合物からなる、請求項２に記載の方法。
【請求項９】
フローラル化合物が、リナロール、ヘディオン、シクラメンアルデヒド、ゲラニオール、およびフェニルエチルアルコールからなる、請求項８に記載の方法。
【請求項１０】
ムスク化合物が、アンブレトンおよびムスクTからなる群から選択される、請求項８に記載の方法。
【請求項１１】
フローラル化合物が、リナロール、ヘディオン、シクラメンアルデヒド、ゲラニオール、およびフェニルエチルアルコールからなる群から選択され、ムスク化合物が、アンブレトンおよびムスクTからなる群から選択される、請求項８に記載の方法。
【請求項１２】
フレグランスアコードが、ネクタリルおよび少なくとも１つのフローラル化合物からなる、請求項２に記載の方法。
【請求項１３】
フローラル化合物がジヒドロミルセノール、ゲラニオール、α-イオノン、フェノキシエチルイソブチレート、およびα-テルピネオールからなる群から選択される、請求項１２に記載の方法。
【請求項１４】
フレグランスアコードが、さらに、ウッディ様、柑橘様、フルーツ様、ハーブ様、メントール様、アルデヒド様またはピニー様の化合物からなる群から選択される、請求項１２に記載の方法。
【請求項１５】
フレグランスアコードが、β-イオノン、少なくとも１つのグルマン化合物、および少なくとも１つのメントール化合物からなる、請求項２に記載の方法。
【請求項１６】
グルマン化合物がバニリンである、請求項１５に記載の方法。
【請求項１７】
メンソール化合物がメントールである、請求項１５に記載の方法。
【請求項１８】
フレグランスアコードが、フローラル化合物、スパイシー化合物、またはウッディ化合物のうちの１つまたは複数をさらに含む、請求項１５に記載の方法。
【請求項１９】
フレグランスアコードが、サリチル酸シス３-ヘキセニル、少なくとも1つのムスク化合物、および少なくとも１つのフローラル化合物を含有する、該フレグランスアコードを含む消費者製品。
【請求項２０】
フレグランスアコードが、β-イオノン、少なくとも１つのフローラル化合物、および少なくとも１つのムスク化合物を含有する、該フレグランスアコードを含む消費者製品。
【請求項２１】
フレグランスアコードが、ネクタリルと少なくとも1つのフローラル化合物を含有する、該フレグランスアコードを含む消費者製品。
【請求項２２】
フレグランスアコードが、β-イオノン、少なくとも１つのグルマン化合物、および少なくとも１つのメントール化合物を含有する、該フレグランスアコードを含む消費者製品。
【請求項２３】
フレグランスアコードが、フレグランスデリバリーシステムによって少なくとも部分的に提供され、該フレグランスデリバリーシステムは、ポリマーアシストデリバリー（PAD）システム、分子アシストデリバリー（MAD）システム、シクロデキストリン（CD）システム、スターチカプセル化アコード（SEA）システム、およびゼオライト＆無機キャリア（ZIC）システムからなる群から選択される、請求項２０に記載の消費者製品。
【発明の詳細な説明】
【技術分野】
【０００１】
関連出願の相互参照
本出願は、２０１８年３月３０日に出願された米国仮特許出願第６２／６５０，５１０号の優先権を主張し、その内容は参照によりその全体が本明細書に組み込まれる。
本開示は、対象者の睡眠パターンに影響を与えるために投与することができ、より具体的には、対象者の睡眠量および／または睡眠の質を増加させるために投与することができるフレグランス組成物に関する。
【背景技術】
【０００２】
睡眠は、心身の健康と日常生活の機能にとって重要である。十分な睡眠は、気分、外見、免疫力、認知機能の向上など、多くの利点をもたらす。米国睡眠医学アカデミー（AASM）は、18歳以上の成人が1晩に7〜8時間の睡眠をとることを推奨している。
しかし、睡眠不足は現代の流行であり、多くの人が、推奨されている一晩の睡眠時間を下回っており、十分な睡眠が取れていないと考えていると報告されている。睡眠の量だけでなく、睡眠の質（すなわち、有効性）を改善することができる解決策、特に安全で非薬物、非侵襲的な解決策が必要とされている。
【０００３】
人類は歴史の中で、治療目的を含む多くの目的のために香りを使用してきた。多くの古代文明の民間療法では、植物や動物の香りの使用を求めている。現代医学の出現でそのような治療法の使用が減少しているにもかかわらず、自律神経系だけでなく、神経内分泌系の機能に匂いの効果を確認する明確な科学的証拠がある。これは、鼻中隔にあるヤコブソン器官によって検出され、気分や感情と結びついた脳の中心である大脳辺縁系に直接入り込み、無意識のうちに内臓の機能に影響を与えているからである。
消費者の睡眠パターンに影響を与えるために、消費者製品に使用できる香料の開発が望まれている。そのため、個人の睡眠パターンに効果的に影響を与えるフレグランス化合物やフレグランスアコードを特定する必要性が残されている。
睡眠に対する反応、およびそのような化合物およびアコードからなる香料組成物を製造すること。本開示は、以下にさらに詳細に開示されるように、このニーズに対応する。
【発明の概要】
【０００４】
本開示は、被験体に効果的に睡眠の有益性を提供する少なくとも１つの化合物からなる香料組成物および組成物に関する。
本開示はまた、前記化合物の少なくとも1つからなるフレグランス組成物、および被験者の睡眠の量または質を増加させるためにそのようなフレグランス組成物を使用する方法にも向けられている。
【発明を実施するための形態】
【０００５】
特定の実施形態では、本開示は、睡眠を改善するフレグランスアコードを特定する方法を提供し、この方法は、被験者のグループの各被験者に対照フレグランスアコードを嗅がせ、前記被験者のグループの各被験者の睡眠パラメータの第1のセットを測定することからなる第1のプロトコルと、前記被験者のグループの各被験者に試験対象のフレグランスアコードを嗅がせ、前記被験者のグループの各被験者の睡眠パラメータの第2のセットを測定することからなる第2のプロトコルとからなる。第２のプロトコルで得られた睡眠パラメータを第１のプロトコルで得られた睡眠パラメータと比較して、１つ以上の睡眠パラメータを改善するフレグランスアコードを特定し、１つ以上の睡眠パラメータは、総覚醒時間数、総睡眠時間数、睡眠効率、レム睡眠時間数、軽睡眠時間数、および深睡眠時間数からなる群から選択される。
【０００６】
特定の実施形態では、本開示は、被験者の少なくとも1つの睡眠パラメータを改善する方法を提供し、ここで、方法は、フレグランスアコードを提供することからなり、1つ以上の睡眠パラメータを改善するのに有効な量のフレグランスアコードを被験者に投与することからなり、ここで、1つ以上の睡眠パラメータは、総覚醒時間数、総睡眠時間数、睡眠効率、レム睡眠時間数、軽睡眠時間数、および深睡眠時間数からなる群から選択される。特定の実施形態では、フレグランスアコードは、シス-3-ヘキセニルサリチル酸塩、少なくとも1つのムスク化合物、および少なくとも1つのフローラル化合物からなる。特定の実施形態では、ムスク化合物は、アンブロキサン、アンブレトン、Ｌ-ムスコン、（１２Ｅ）-１-オキサシクロヘキサデカ-１２-エン-２-オンおよびムスクＴからなる群から選択され、他の特定の実施形態では、フローラル化合物は、ミルセノール、α-イオノン、リナロール、リナリルアセテート、シクラメンアルデヒド、ジヒドロミルセノールからなる群から選択される。
リリアール、ゲラニオール、γ-メチルイオノン、ネロール、およびヘディオンからなる群から選択される。さらに別の特定の実施形態では、ムスク化合物は、アンブロキサン、アンブレトン、Ｌ-ムスコン、およびムスクＴからなる群から選択され；フローラル化合物は、ミルセノール、α-イオノン、リナロール、酢酸リナリル、シクラメンアルデヒド、ジヒドロミルセノール、リリアール、ゲラニオール、γ-メチルイオノン、ネロール、およびヘディオンからなる群から選択される。特定の実施形態では、フレグランスアコードはさらに、柑橘系、スパイシー系、メントール系、フルーティー系、ウッディ系、アルデヒド系、ハーブ系、バルサミコ系、またはグルマン系の化合物のうちの1つ以上からなる。
【０００７】
別の実施形態では、フレグランスアコードは、β-イオノン、少なくとも1つのフローラル化合物、および少なくとも1つのムスク化合物からなる。特定の実施形態では、フローラル化合物は、リナロール、ヘディオン、シクラメンアルデヒド、ゲラニオール、およびフェニルエチルアルコールからなる群から選択される。特定の代替実施形態では、ムスク化合物は、リナロール、ヘディオン、シクラメンアルデヒド、ゲラニオール、およびフェニルエチルアルコールからなる群から選択され、ムスク化合物は、アンブレトンおよびムスクＴからなる群から選択される。
【０００８】
特定の代替的な実施形態では、フレグランスアコードは、ネクタリルおよび少なくとも１つのフローラル化合物からなる。特定の代替実施形態では、フローラル化合物は、ジヒドロミルセノール、ゲラニオール、α-イオノン、イソ酪酸フェノキシエチル、およびα-テルピネオールからなる群から選択される。特定の実施形態では、フレグランスアコードは、さらに、木質系化合物、柑橘系化合物、フルーティー系化合物、ハーブ系化合物、メントール系化合物、アルデヒド系化合物、またはピニー系化合物からなる群から選択される１つ以上の化合物からなる。
特定の代替実施形態では、フレグランスアコードは、β-イオノン、少なくとも1つのグルマン化合物、および少なくとも1つのメントール化合物で構成される。特定の実施形態では、グルマン化合物はバニリンである。別の特定の実施形態では、メントール化合物はメントールである。他の特定の実施形態では、フレグランスアコードはさらに、フローラル化合物、スパイシー化合物、またはウッディ化合物のうちの１つ以上を含む。
特定の実施形態では、本開示は、フレグランスアコードからなる消費者製品を提供し、ここで、フレグランスアコードは、サリチル酸シス-3-ヘキセニル、少なくとも1つのムスク化合物、および少なくとも1つのフローラル化合物からなる。他の実施形態では、本開示は、フレグランスアコードからなる消費者製品を提供し、フレグランスアコードは、β-イオノン、少なくとも1つのフローラル化合物、および少なくとも1つのムスク化合物からなる。さらに別の実施形態では、本開示は、フレグランスアコードからなる消費者製品を提供し、フレグランスアコードは、ネクタリルおよび少なくとも１つのフローラル化合物からなる。他の特定の実施形態では、本開示は、フレグランスアコードからなる消費者製品を提供し、フレグランスアコードは、β-イオノン、少なくとも1つのグルマン化合物、および少なくとも1つのメントール化合物からなる。
特定の実施形態では、本開示は、フレグランスアコードが、少なくとも一部がフレグランスデリバリーシステムによって提供される消費者製品を提供し、ここで、前記フレグランスデリバリーシステムは、ポリマーアシストデリバリー（ＰＡＤ）システム、分子アシストデリバリー（ＭＡＤ）システム、シクロデキストリン（ＣＤ）システム、スターチカプセル化アコード（ＳＥＡ）システム、およびゼオライト＆無機キャリア（ＺＩＣ）システムからなる群から選択される。
特定の実施形態では、香料組成物は、約0.001重量％〜約100重量％の香料化合物からなる。
本開示はまた、フレグランス組成物からなる消費者製品を提供する。
本開示の主題はまた、以下の1つ以上の利点を提供するのに有効な量で本明細書に開示されたフレグランス組成物を被験者に投与することにより、それを必要とする被験者に1つ以上の睡眠の利点を提供する方法を提供する。(1)対象者が夜間に睡眠中である時間の増加；(2)対象者が夜間に覚醒している時間の減少；(3)対象者がレム睡眠を経験する時間の増加；(4)対象者が深い睡眠を経験する時間の増加；(5)対象者が軽い睡眠を経験する時間の増加；および(6)全体的な睡眠効率の増加である。特定の実施形態では、フレグランス組成物は、被験者の就寝前または就寝時の夕方に投与される。特定の実施形態では、香料組成物は、１つ以上の消費者製品を介して対象者に投与される。
【０００９】
上述したように、睡眠持続時間を増加させ、および／または睡眠の質を改善するための効果的な組成物を提供するために、被験者の睡眠パターンに効果的に影響を与える新規なフレグランスおよびアコードを特定することが、当技術分野において必要とされている。現在開示されている主題は、睡眠持続時間を効果的に増加させ、および／または睡眠の質を改善するために対象者に投与することができる少なくとも１つの化合物からなるフレグランス組成物を介して、このニーズに対処する。
【００１０】
明快さのために、そして制限を経由しないために、詳細な説明は以下のサブセクションに分割される。
1. 定義。
2. 香料化合物。
3. 香りの組成物。
4. 消費者製品における組成物の使用
5. 睡眠の量と質の増加。
【００１１】
1. 定義
本明細書で使用される用語は、一般に、本開示の文脈の範囲内で、および各用語が使用される特定の文脈の範囲内で、当技術分野における通常の意味を有する。特定の用語は、本開示の組成物および方法を説明する際に、およびそれらの製造方法および使用方法を説明する際に、当業者に追加のガイダンスを提供するために、以下または本明細書の他の場所で議論される。
本明細書で使用されるように、特許請求の範囲および／または明細書中で「comprising」という用語と一緒に使用される場合の「a」または「an」という語の使用は、「1つ」を意味し得るが、「1つ以上」、「少なくとも1つ」、および「1つ以上」の意味にも一致する。さらに、用語 "having"、"including"、および "comprising "は交換可能であり、当技術分野の当業者であれば、これらの用語がオープンエンドの用語であることを認識するであろう。
「約」という用語は、当技術における通常の熟練者によって決定される特定の値の許容誤差範囲内を意味し、これは、値がどのように測定または決定されるか、すなわち測定システムの限界に部分的に依存するであろう。例えば、「約」は、当技術分野の慣例によれば、3つの標準偏差の範囲内、または3つ以上の標準偏差の範囲内を意味することができる。あるいは、「約」は、所定の値の２０％まで、好ましくは１０％まで、より好ましくは５％まで、さらに好ましくは１％までの範囲を意味することができる。あるいは、特に生物学的システムまたはプロセスに関して、この用語は、ある値の一桁以内、好ましくは５倍以内、より好ましくは２倍以内を意味することができる。
【００１２】
ここでいう「フレグランス組成物」とは、1つまたは複数の形態のフレグランス化合物と、1つまたは複数の溶媒または香料の副原料からなる混合物を意味します。当技術分野で知られているように、フレグランス組成物は、それが添加される消費者製品（例えば、家庭用クリーナー、香水、または他の消費者製品）の処方に香りを与えるために、1つまたは複数のフレグランス化合物を含んでいる。一実施形態では、香料組成物は、集合的に、そしてそれらが添加される溶媒と組み合わせて、香料組成物の近くにいる人間に意図された嗅覚ノート（例えば、快楽的に心地よい「トロピカル」ノート）を付与する2つ以上の香料化合物を含む。一般的に、香料の副添加剤は、アルコール類、アルデヒド類、ケトン類、エステル類、エーテル類、酢酸塩、ニトリル類、テルペン炭化水素類、窒素系または亜硫酸系の複素環化合物、天然または合成のエッセンシャルオイルなど、様々な化学物質のクラスに属しており、当技術者にはよく知られている。これらの成分の多くは、S. Arctander, Perfume and Flavor Chemicals, 1969, Montclair, New Jersey, USAまたはそのより最近のバージョンのいずれかのような参考文献に記載されており、それぞれが参照により組み込まれている。
【００１３】
本明細書で使用されるように、用語「アコード」は、特定の匂い、臭気または香りを作り出す１つ以上の異なる化合物を含む組成物を指す。一つ以上の「アコード」は、フレグランス組成物の一部として利用することができる。
本明細書で使用される「睡眠効果」とは、以下のうちの1つ以上を意味する。(1)対象者の夜間の睡眠時間の増加、(2)対象者の夜間の覚醒時間の減少、(3)対象者のレム睡眠時間の増加、(4)対象者の深い睡眠時間の増加、(5)対象者の軽い睡眠時間の増加、および(6)全体的な睡眠効率の増加を意味する。
ここでいう「深い眠り」とは、第3段階および第4段階の眠りのことで、外部刺激に対する身体の反応が鈍くなり、呼吸が緩み、筋肉が緩み、心拍数が規則的になる状態を指す。成長ホルモンは深い眠りの間に分泌される。
ここでいう「レム睡眠」とは、レム睡眠（Rapid Eye Movement：REM睡眠）のことで、夢を見ることが多い睡眠段階のことを指す。レム睡眠中は、眼球筋と呼吸筋を除く筋肉が活発に麻痺し、心拍数が増加し、呼吸が不規則になる。
【００１４】
本明細書で使用されるように、「睡眠効率」という用語は、計算された睡眠パラメータが式に従って計算されることを意味する。
睡眠効率  ＝  100 ＊ 総睡眠時間／（総睡眠時間＋起きている時間＋睡眠中の不安な時間）
ここでいう「軽い睡眠」とは、周囲の意識が低下し、体温が下がり、呼吸や心拍数が規則的になる第2段階の睡眠のことを指す。睡眠全体の約50%がこの段階に費やされる。
本明細書では、「総覚醒時間」とは、長時間の睡眠中（夜間など）に対象者が短時間に目を覚ましている時間を指す。
本明細書で使用されるように、「就寝時間」という用語は、被験者が通常、眠るためにベッドに入る時間を指す。
【００１５】
本明細書で使用されるように、用語「被験者」は、ヒトまたは非ヒトの被験者を指す。非ヒトの被験体の非限定的な例としては、非ヒト霊長類、イヌ、ネコ、マウス、ラット、モルモット、ウサギ、ブタ、家禽、馬、ウシ、ヤギ、ヒツジ、鯨類などが挙げられる。
本明細書で使用されるように、用語「治療」または「治療」は、例えば、香料組成物を投与することによって、対象の睡眠の量または質を増加させるための介入を指す。
本明細書で使用されるように、用語「減少」および文法的等価物は、約２％、約５％、約１０％、約２５％、約３０％、約５０％、約７５％、または約１００％の減少を含むがこれらに限定されない、少なくとも約２％の減少を指す。
本明細書で使用されるように、用語「増加」は、約0.05％、約0.5％、約1％、約2％、約5％、約10％、約25％、約30％、約50％、約75％、または約100％を含むがこれらに限定されない、少なくとも約0.05％の正の変化を意味する。
本明細書で使用されるように、「投与」という用語は、意図された機能を実行するために化合物を被験体に導入または送達することを意味する。投与は、吸入、嗅覚、吸入によって行うことができる。管理または投与には、自己管理および他の者による管理が含まれる。
本明細書で使用されるように、「消費者製品」または「最終製品」という表現は、市場に出回っている適応症のために消費者が使用できる形である組成物を指す。
消費者製品での使用に適した溶剤とは、最終製品の他の成分と組み合わせた場合、消費者製品をその意図された消費者使用に適さないものにしない溶剤のことである。
【００１６】
2. 芳香成分
本開示の主題の香料組成物は、１種または２種以上の香料化合物からなる。構造的には多様であるが、各香料化合物は臭気を付与し、各種化合物は単独でまたは組み合わせて使用することができる。それらの心地よい臭気の特性のために、香料化合物は、様々な製品用途に組み込むことができる。驚くべきことに、主題開示は、特定の化合物が自律神経系または視床下部-下垂体-副腎（ＨＰＡ）軸またはベントロラテラル前頭前核および／または視交叉上核に作用して、睡眠の量を効果的に増加させ、および／または睡眠の質を増加させることが予想外に発見されたことを説明する。
睡眠の量および／または質を効果的に増加させることができる香料化合物としては、β-イオノン、α-イオノン、Ｌ-ムスコン、バニリン、ムスクＴ、５-シクロヘキサデセン-1-オン（Ambretone）、（３ａＲ，５ａＳ，９ａＳ，９ｂＲ）-３ａ，６，６，９ａ-テトラメチル-２，４，５，５ａ，７，８，９，９ｂ-オクタヒドロ-1Ｈ-ベンゾ[ｅ][ｌ]ベンゾフラン(Ambroxan)、リリアール、ゲラニオール、サリチル酸シス-3-ヘキセニル、γ-メチルイオノン(Isoraldeine 70)、リナロール、L-メントール、酢酸リナリル、シクラメンアルデヒド、ジヒドロミルセノール、ネロール、イソ酪酸フェノキシエチル、およびそれらの組み合わせなどを挙げることができるが、これらに限定されるものではない。
特定の実施形態では、本開示は、睡眠時間を増加させることによって睡眠の量を効果的に増加させることができる香料化合物を提供するが、これらに限定されないが、シクラメンアルデヒド、ジヒドロミルセノール、ゲラニオール、α-イオノン、リリアール、ネロール、およびそれらの組み合わせが含まれる。
特定の実施形態では、本開示は、夜間の覚醒時間を減少させることにより睡眠の量を効果的に増加させることができる香料化合物を提供し、これに限定されることなく、β-イオノン、ムスクＴ、酢酸リナリル、（３ａＲ，５ａＳ，９ａＳ，９ｂＲ）-３ａ，６，６，９ａ-テトラメチル-２，４，５，５ａ，７，８，９，９ｂ-オクタヒドロ-1Ｈ-ベンゾ[ｅ][ｌ]ベンゾフラン（Ambroxan）、シクラメンアルデヒド、およびそれらの組み合わせが挙げられる。
【００１７】
さらに別の実施形態では、本開示は、睡眠時間を増加させ、覚醒時間を減少させることにより、睡眠の量を効果的に増加させることができるフレグランス化合物を提供し、これに限定されないが、シクラメンアルデヒドを含む。
特定の実施形態では、本開示は、レム睡眠を増加させることにより睡眠の質を効果的に増加させることができる香料化合物を提供し、これには限定されないが、ジヒドロミルセノール、リリアール、酢酸リナリル、バニリン、およびそれらの組み合わせが含まれる。
特定の実施形態では、本開示は、深層睡眠を増加させることにより睡眠の質を効果的に増加させることができる香料化合物を提供し、これに限定されることなく、サリチル酸シス-3-ヘキセニル、シクラメンアルデヒド、ジヒドロミルセノール、ゲラニオール、α-イオノン、酢酸リナリル、L-ムスコン、およびそれらの組み合わせを含む。
さらに他の実施形態では、本開示は、レム睡眠および深い睡眠の持続時間を増加させることにより、睡眠の質を効果的に増加させることができる香料化合物を提供し、これには、ジヒドロミルセノール、酢酸リナリル、およびそれらの組み合わせが含まれるが、これらに限定されない。
特定の実施形態では、本開示は、睡眠効率を増加させることにより睡眠の質を効果的に増加させることができる香料化合物を提供し、これに限定されないが、シクラメンアルデヒド、β-イオノン、リリアール、酢酸リナリル、Ｌ-メントール、ムスクTおよびそれらの組み合わせを含む。
特定の実施形態では、本開示は、軽い睡眠時間を増加させることにより睡眠の質を効果的に増加させることができるフレグランス化合物を提供し、これには、限定されないが、５-シクロヘキサデセン-1-オン（Ambretone）、ゲラニオール、β-イオノン、リリアール、リナロール、Ｌ-メントール、γ-メチルイオノン（Isoraldeine７０）、ネロール、イソ酪酸フェノキシエチル、およびそれらの組み合わせが含まれる。
現在開示されているフレグランス化合物は、フレグランス組成物中の使用量またはレベルに応じて、フレグランスカテゴリー｛すなわち、フローラル、フルーティー、グルマン、グリーン、ハーブ、メントール、ムスク、ピニー、パウダリー、スパイシー、ウッディなど｝のうちの１つ以上に分類することができる。
フローラル化合物は、シクラメンアルデヒド、ゲラニオール、ジヒドロミルセノール、リリアール、リナロール、酢酸リナリル、γ-メチルイオノン、α-イオノン、β-イオノン、ネロール、フェノキシエチルイソブチレート、またはそれらの組み合わせであり得る。
グルマン化合物は、バニリンであり得る。
グリーン化合物は、サリチル酸シス-3-ヘキセニルであり得る。
メントール化合物は、L-メントールであり得る。
ムスク化合物は、5-シクロヘキサデセン-1-オン（AMBRETONE）、ムスクT、L-ムスコン、またはそれらの組み合わせである。
ウッディ化合物は、(3aR,5aS,9aS,9bR)-3a,6,6,9a-テトラメチル-2,4,5,5a,7,8,9,9b-オクタヒドロ-1H-ベンゾ[e][1]ベンゾフラン(AMBROXAN)、β-イオノン、またはそれらの組み合わせであり得る。
【００１８】
特定の実施形態では、１種以上の化合物（単独でまたは一緒に取られる）は、フレグランスアコードを構成することができる。ある実施形態では、１つの化合物がアコードを構成することができる。別の実施形態では、２つの化合物がアコードを構成することができる。別の実施形態では、３つの化合物がアコードを構成することができる。別の実施形態では、４種以上の化合物がアコードを構成することができる。これらのアコードは、次に以下でより詳細に論じるように、フレグランス組成物中で使用することができる。
特定の実施形態では、フレグランスアコードは、サリチル酸シス-3-ヘキセニル、少なくとも1つのムスク化合物、および少なくとも1つのフローラル化合物を含むことができる。特定の実施形態では、フレグランスアコードは、約0.83％から約25％、または約2％から約20％、または約5％から約15％、または約6％から約12％のサリチル酸ヘキシルを重量比で含むことができる。特定の実施形態では、フレグランスアコードは、重量で約0.02％から約35％、または約2％から約30％、または約5％から約25％、または約10％から約20％のムスク化合物を含むことができる。特定の実施形態では、フレグランスアコードは、重量で約10％から約60％、または約15％から約50％、または約20％から約40％、または約25％から約35％のフローラル化合物を含むことができる。特定の実施形態では、ムスク化合物は、アンブロキサン、アンブレトン、Ｌ-ムスコン、およびムスクＴからなる群から選択することができ、他の実施形態では、フローラル化合物は、ミルセノール、α-イオノン、リナロール、酢酸リナリル、シクラメンアルデヒド、ジヒドロミルセノール、リリアール、ゲラニオール、γ-メチルイオノン、ネロール、およびヘディオンからなる群から選択することができる。他の実施形態では、ムスク化合物は、アンブロキサン、アンブレトン、Ｌ-ムスコン、およびムスクＴからなる群から選択され、フローラル化合物は、ミルセノール、-イオノン、リナロール、リナリルアセテート、シクラメンアルデヒド、ジヒドロミルセノール、リリアール、ゲラニオール、γ-メチルイオノン、ネロール、およびヘディオンからなる群から選択され得る。他の実施形態では、フレグランスアコードはまた、柑橘系、フルーティー系、ウッディ系、ハーブ系またはグルマン系の化合物のうちの１つまたは複数を含むことができる。
【００１９】
特定の実施形態では、フレグランスアコードは、β-イオノン、少なくとも１つのフローラル化合物、および少なくとも１つのムスク化合物を含むことができる。特定の実施形態では、フレグランスアコードは、重量で約２％から約３０％、または約５％から約２５％のβ-イオノンを含むことができる。他の特定の実施形態では、フレグランスアコードは、重量で約20％から約40％、または約25％から約40％のムスク化合物を含むことができる。他の特定の実施形態では、フレグランスアコードは、重量で約40％から約55％、または約45％から約50％のフローラル化合物を含むことができる。他の特定の実施形態では、フローラル化合物は、リナロール、ヘディオン、シクラメンアルデヒド、ゲラニオール、およびフェニルエチルアルコールからなる群から選択され得る。他の実施形態では、ムスク化合物は、アンブレトンおよびムスクＴからなる群から選択することができ、特定の実施形態では、フローラル化合物は、リナロール、ヘディオン、シクラメンアルデヒド、ゲラニオールおよびフェニルエチルアルコールからなる群から選択することができ、ムスク化合物は、アンブレトンおよびムスクＴからなる群から選択することができ、特定の実施形態では、ムスク化合物は、アンブレトンおよびムスクＴからなる群から選択することができる。
特定の実施形態では、フレグランスアコードは、ネクタリルと少なくとも１つのフローラル化合物とを含むことができる。特定の実施形態では、フレグランスアコードは、重量で約２％から約４５％、または約３％から約４０％のネクタリルを含むことができる。他の実施形態では、フレグランスアコードは、重量で約１５％から約４０％、または約２０％から約３５％のフローラル化合物を含むことができる。特定の実施形態では、フローラル化合物は、ジヒドロミルセノール、ゲラニオール、α-イオノン、フェノキシエチルイソブチレート、およびα-テルピネオールからなる群から選択され得る。別の実施形態では、フレグランスアコードは、さらに、ウッディ系化合物、柑橘系化合物、フルーティー系化合物、ハーブ系化合物、メントール系化合物、アルデヒド系化合物、またはピニー系化合物からなる群から選択される１種または２種以上を含むことができる。
特定の実施形態では、フレグランスアコードは、β-イオノン、少なくとも１つのグルマン化合物、および少なくとも１つのメントール化合物を含むことができる。特定の実施形態では、フレグランスアコードは、重量で、β-イオノンを約１０％から約１５％、グルマン化合物を約２％から約５％、メントール化合物を約５％から約１５％含むことができる。特定の実施形態では、メントール化合物は、Ｌ-メントールであり得る。別の特定の実施形態では、グルマン化合物はバニリンであり得る。
特定の実施形態では、フレグランスアコードは、ムスク化合物、サリチル酸シス-３-ヘキセニル、フローラル化合物、シトラス化合物、およびバルサミコ化合物を含むことができる。
別の特定の実施形態では、フレグランスアコードは、β-イオノン、１つ以上のフローラル化合物、メントール化合物、およびウッディ化合物を含むことができる。
【００２０】
特定の実施形態では、本開示は、睡眠を改善するフレグランスアコードを特定する方法を提供し、この方法は、被験者のグループの各被験者に対照フレグランスアコードを嗅がせ、当該グループの各被験者の睡眠パラメータの第１のセットを測定することからなる第１のプロトコルと、被験者のグループの各被験者に試験対象のフレグランスアコードを嗅がせ、当該グループの各被験者の睡眠パラメータの第２のセットを測定することからなる第２のプロトコルとからなる。前記第２のプロトコルで得られた睡眠パラメータを前記第１のプロトコルで得られた睡眠パラメータと比較して、１つ以上の睡眠パラメータを改善するフレグランスアコードを特定し、前記１つ以上の睡眠パラメータは、総覚醒時間数、総睡眠時間数、睡眠効率、レム睡眠時間数、軽睡眠時間数、および深睡眠時間数からなる群から選択されることを特徴とする。
特定の実施形態では、本開示は、被験者の少なくとも１つの睡眠パラメータを改善する方法を提供し、ここで、方法は、フレグランスアコードを提供することからなり、１つ以上の睡眠パラメータを改善するのに有効な量のフレグランスアコードを被験者に投与することからなり、ここで、１つ以上の睡眠パラメータは、総覚醒時間数、総睡眠時間数、睡眠効率、レム睡眠時間数、軽睡眠時間数、および深睡眠時間数からなる群から選択される。特定の実施形態では、フレグランスアコードは、サリチル酸シス-3-ヘキセニル、少なくとも1つのムスク化合物、および少なくとも1つのフローラル化合物からなる。特定の実施形態では、ムスク化合物は、アンブロキサン、アンブレトン、Ｌ-ムスコン、（１２Ｅ）-１-オキサシクロヘキサデック-１２-エン-２-オンおよびムスクＴからなる群から選択される。別の特定の実施形態では、フローラル化合物は、ミルセノール、α-イオノン、リナロール、リナリルアセテート、シクラメンアルデヒド、ジヒドロミルセノール、リリアール、ゲラニオール、γ-メチルイオノン、ネロール、およびヘディオンからなる群から選択される。さらに別の特定の実施形態では、ムスク化合物は、アンブロキサン、アンブレトン、Ｌ-ムスコン、およびムスクＴからなる群から選択され；そしてフローラル化合物は、ミルセノール、α-イオノン、リナロール、リナリルアセテート、シクラメンアルデヒド、ジヒドロミルセノール、リリアール、ゲラニオール、γ-メチルイオノン、ネロール、およびヘディオンからなる群から選択される。特定の実施形態では、フレグランスアコードはさらに、柑橘系、スパイシー系、メントール系、フルーティー系、ウッディ系、アルデヒド系、ハーブ系、バルサミコ系、またはグルマン系の化合物のうちの1つ以上からなる。
別の実施形態では、フレグランスアコードは、β-イオノン、少なくとも1つのフローラル化合物、および少なくとも1つのムスク化合物からなる。特定の実施形態では、フローラル化合物は、リナロール、ヘディオン、シクラメンアルデヒド、ゲラニオール、およびフェニルエチルアルコールからなる群から選択される。特定の代替実施形態では、ムスク化合物は、リナロール、ヘディオン、シクラメンアルデヒド、ゲラニオール、およびフェニルエチルアルコールからなる群から選択され、ムスク化合物は、アンブレトンおよびムスクＴからなる群から選択される。
特定の代替的な実施形態では、フレグランスアコードは、ネクタリルおよび少なくとも１つのフローラル化合物からなる。特定の代替実施形態では、フローラル化合物は、ジヒドロミルセノール、ゲラニオール、α-イオノン、イソ酪酸フェノキシエチル、およびα-テルピネオールからなる群から選択される。特定の実施形態では、フレグランスアコードは、さらに、木質系、柑橘系、フルーティー系、ハーブ系、メントール系、アルデヒド系またはピニー系の化合物からなる群から選択される１種または２種以上からなる。
特定の代替実施形態では、フレグランスアコードは、β-イオノン、少なくとも１つのグルマン化合物、および少なくとも１つのメントール化合物からなる。特定の実施形態では、グルマン化合物はバニリンである。別の特定の実施形態では、メントール化合物はメントールである。他の特定の実施形態では、フレグランスアコードはさらに、フローラル化合物、スパイシー化合物、またはウッディ化合物のうちの１つ以上を含む。
特定の実施形態では、本開示は、フレグランスアコードからなる消費者製品を提供し、ここで、フレグランスアコードは、サリチル酸シス-3-ヘキセニル、少なくとも1つのムスク化合物、および少なくとも1つのフローラル化合物からなる。他の実施形態では、本開示は、フレグランスアコードからなる消費者製品を提供し、フレグランスアコードは、β-イオノン、少なくとも1つのフローラル化合物、および少なくとも1つのムスク化合物からなる。さらに他の実施形態では、本開示は、フレグランスアコードからなる消費者製品を提供し、フレグランスアコードは、ネクタリルおよび少なくとも1つのフローラル化合物からなる。他の特定の実施形態では、本開示は、フレグランスアコードからなる消費者製品を提供し、フレグランスアコードは、β-イオノン、少なくとも1つのグルマン化合物および少なくとも1つのメントール化合物からなる。
【００２１】
特定の実施形態では、本開示は、フレグランスアコードが、少なくとも一部がフレグランスデリバリーシステムによって提供される消費者製品を提供し、ここで、前記フレグランスデリバリーシステムは、ポリマーアシストデリバリー（ＰＡＤ）システム、モレキュラーアシストデリバリー（ＭＡＤ）システム、および、以下のシステムからなる群から選択され、前記フレグランスデリバリーシステムは、前記ポリマーアシストデリバリー（ＰＡＤ）システム、モレキュラーアシストデリバリー（ＭＡＤ）システム、および、以下のシステムからなる群から選択される。
シクロデキストリン（CD）システム、スターチカプセル化アコード（SEA）システム、ゼオライト＆無機キャリア（ZIC）システム。
【００２２】
3. フレグランス組成物
本明細書に開示された主題の化合物およびアコードは、異なる香料組成物に配合することができる。上述したように、各アコードは、少なくとも１つの香料化合物を含む。本明細書に開示された主題に従ったフレグランス組成物は、本明細書に記載されたフレグランス化合物またはフレグランスアコードのうちの1つ以上、2つ以上、または3つ以上を含むことができる。
特定の実施形態では、本開示の1つ以上の化合物は、約0.001重量%から約100重量%まで、または約0.01重量%から約90重量%まで、または約0． 約1重量％から約80重量％、または約1重量％から約70重量％、または約2重量％から約60重量％、または約5重量％から約50重量％、または約5重量％から約40重量％、または約5重量％から約30重量％、または約5重量％から約20重量％、または約5重量％から約10重量％の濃度で組成物に配合することができる。特定の実施形態では、本開示のフレグランス組成物は、少なくとも約5重量％、少なくとも約10重量％、少なくとも約20重量％、または少なくとも約25重量％のフレグランスアコードを含むことができる。
特定の実施形態では、本開示のフレグランス組成物は、フレグランスアコードの少なくとも約10重量％、フレグランスアコードの少なくとも約25重量％、フレグランスアコードの少なくとも約50重量％、フレグランスアコードの少なくとも約75重量％、またはフレグランスアコードの少なくとも約90重量％を含むことができる。１つの態様において、フレグランス組成物は、フレグランスアコードを１００重量％含有する。
【００２３】
本明細書に開示される主題の化合物は、その添加が、睡眠の量を増加させるおよび／または睡眠の質を改善するための組成物の能力を変えない限り、様々なフレグランスカテゴリーからの１つ以上の追加のフレグランスアコード化合物と組み合わせることができる。特定の実施形態では、追加のフレグランスアコードまたは化合物は、1つ以上のアルデヒド化合物、1つ以上の動物性化合物、1つ以上のバルサミコ化合物、1つ以上の柑橘類化合物、1つ以上のフローラル化合物、1つ以上のフルーティー化合物、1つ以上のグルマン化合物、1つ以上のグリーン化合物、1つ以上のハーブ化合物、1つ以上のマリン化合物、1つ以上のモッシー化合物、1つ以上の麝香の化合物、1つ以上のピニー化合物、1つ以上のパウダリー化合物、1つ以上のスパイシーな化合物、1つ以上のウッディ化合物、1つ以上の甘草の化合物、またはそれらの組み合わせであり得るが、これらに限定されるものではない。
好適なアルデヒド化合物の非限定的な例としては、アセトアルデヒドＣ-８、アセトアルデヒドＣ-９、アセトアルデヒドＣ-１０、アドキサール、アルデヒドＣ-１１、アルデヒドＣ-１２が挙げられる。ラウリックアルデヒドＣ-１２、アルデヒドＣ-１２ ＭＮＡ、アルデヒドスープラ、シクロミラール、トランス-２-デセナール、トランス-４-デセナール、シス-４-デセナール、９-デセナール、マイラックアルデヒド、プレシクレモンＢ、トランス-２-ドデセナール、ウンデシレンアルデヒド、１-メチル-４-（４-ジメチルペンチル）シクロヘキシ-３-エン-１-カルバルデヒド（VERNALDEHYDE）、およびそれらの組み合わせが挙げられる。
動物性化合物の非限定的な例としては、５-シクロヘキサデセン-１-オン（AMBRETONE）、１７-オキサシクロヘプタデセン-６-エン-１-オン（ambretolide）、２，５，５-トリメチル-１，３，４，４ａ，６，７-ヘキサヒドロナフタレン-２-オール（ambrinol）、２-メチル-５-（５，５，６-トリメチルビシクロ［２．１]ヘプト-2-イル）シクロヘキサノン（ALDRON）、シベット、p-クレゾール、クレシルメチルエーテル、インドール、スカトール、およびそれらの組み合わせ。
柑橘類化合物の非限定的な例としては、デルタ-3-カレン、シトラール、シトロネラール、L-シトロネロール、デカナール、DH-L-シトロネロール、ミルセノール、リモネン、DH-ミルセノール、ヌートカトン、シネンサル、ルバフラン、ベルガモット油、グレープフルーツ油、レモン油、ライム油、オレンジ油、マンダリン油、トリデセン-2-ニトリル、および／またはユズコアベースが挙げられる。
【００２４】
フローラル化合物の非限定的な例としては、アセトアニソール、α-アミルシンナムアルデヒド、酢酸アニシル、アニジックアルデヒド、酢酸ベンジル、ブルジョナール、酢酸ブチル、シナミックアルデヒドヘキシル、Ｌ-シトロネラール、シクラメンアルデヒド、シクロヘキシルラクトン、デルタダマスコン、９-デセン-１-オール、ジメチルベンジルカルビノール、ファルネサール、Ｌ-ジヒドロファルネサール、エチルリナロール、Ｌ-ファルネサール、ファルネソール、Ｌ-ジヒドロファルネソール、３-（３-イソプロピルフェニル）ブタナール（FROLHYDRAL）、３-（４-エチルフェニル）-２，２-ジメチルプロパナール（floralozone）、４-メチル-２-（２-メチルプロピル）オキサン-４-オール（FLOROL）、ゲラニオール、酢酸ゲラニル、ピペロナール、メチル３-オキソ-２-ペンチルシクロペンタンアセテート（Hedione）、２-メチル-３-（３，４-メチレンジオキシフェニル）プロパナール（Heliobouquet）、1 -(5,6,7,8-テトラヒドロナフタレン-2-イル)エタノン(FLORANTONE)、3-(4-イソブチルフェニル)-2-メチルプロピオンアルデヒド(SUZARAL)、ヘキシルシンナムアルデヒド、サリチル酸ヘキシル、インドール、α-イオノン、β-イオノン、サリチル酸イソプロポキシエチル、メチル-2-((1S*. 2R*)-3-オキソ-2-ペンチルシクロペンチル）アセテート（JASMODIONE）、シスジャスモン、4-(4-ヒドロキシ-4-メチルペンチル)シクロヘキサ-3-エン-1-カルバルデヒド（KOVANOL）、ラウリナール、リナロール、リナリルアセテート、２，４，６-トリメチル-４-フェニル-１，３-ジオキサン（LOREXAN）、２，４-ジメチル-４，４ａ，５，９ｂ-テトラヒドロインデノ［１，２-ｄ］［１． 3]ジオキシン（Magnolan）、（4-プロパン-2-イルシクロヘキシル）メタノール（Mayol）、メチルジヒドロジャスモネート、γ-メチルイオノン、メトキシメロナール、安息香酸メチル、1 -(4-イソプロピル-シクロヘキシル)エタノール（Mugetanol）、ネロール、1-(3-メチル-ベンゾフラン-2-イル)-エタノン（Nerolione）、酢酸ネリル、オランサL、 2-ペンチルシクロペンタノン、2-シクロヘキシル-2-シクロヘキシリデンアセトニトリル（PEONILE）、フェノキサノール、イソ酪酸フェノキシエチル、フェニルアセトアルデヒド、フェニルエチルアルコール、サリチル酸プレニル、ローズオキサイド、ローズフェノン、ロシラン、スザラール、テルピネオール、ウンデカベルトール、2,2,5-トリメチル-5-ペンチルシクロペンタン-1-オン（VELOUTONE）、ヤラヤラ、ゼラニウム油、ローズ油、ラベンダー油、イラン油、およびそれらの組み合わせなどが挙げられる。
【００２５】
果実性化合物の非限定的な例としては、アルデヒドＣ-１６、カプロン酸アリル、プロピオン酸アリルシクロヘキシル、ヘプタン酸アリル、酢酸アミル、ベンズアルデヒド、ＣＡＳＳＩＳ、Ｌ-シトロネリルアセテート、Ｌ-シトロネリルニトリル、3a,4,5,6,7,7a-ヘキサヒドロ-4,7-メタノインデン-5(または6)-イルアセテート（CYCLACET）、3a,4,5,6,7,7a-ヘキサヒドロ-1H-4,7-メタノインデン-1-イルプロパノエート（CYCLAPROP）、ダマセノン、β-デカラクトン、γ-デカラクトン、マロン酸ジエチル、酢酸ジメチルベンジルカルビノール、酪酸ジメチルベンジルカルビノール、ジメチルフェニルエチルカルビノール、ジメチルスルフィド、γ-ドデカラクトン、酢酸エチル、酪酸エチル、カプロン酸エチル、エチルデカジエノテート、エチルヘプトエート、エチル-2-メチルブチレート、アセト酢酸エチル、メチルフェニルグリシデートエチル、プロピオン酸エチル、4-メチル-2-（2-メチルプロピル）オキサン-4-オール（FLOROL）、エチルトリシクロ［5. 2.1.02. 6］デカン-2カルボキシレート（FRUITATE）、酢酸ヘキシル、イソブチレートヘキシル、酢酸イソアミル、6-（ペント-3-エン-1-イル）テトラヒドロ-2Ｈ-ピラン-2-オン（Jasmolactone）、2-メチルペンタノエートエチル（manzanate）、2,6-ジメチルヘプト-5-エナール（melonal）、アントラニル酸メチル、ジオキソランメチル、ヘプチルケトンメチル、γ-ノナラクトン、6-ノネノール、γ-オクタラクトン、イソ酪酸フェニルエチル、酢酸プレニル、ラズベリーケトン、メチル（２-（（４Ｓ）-４-メチル-２-メチレンシクロヘキシル）プロパン-２-イル）スルファン（RINGONOL）、（１Ｒ，６Ｓ）-エチル２，２，６-トリメチルシクロヘキサンカルボキシレート（THESARON）、トリルアルデヒド、γ-ウンデカラクトン、３，５，５-トリメチルヘキシルアセテート（vanoris）、（２-ｔｅｒｔ-ブチルシクロヘキシル）アセテート（verdox）、ノピルアセテート、およびそれらの組み合わせが挙げられる。
【００２６】
グルマン化合物の非限定的な例としては、α-アンゼリカラクトン、カプリル酸、クマリン、エチルフリソン、エチルバニリン、エチルマルトール（例えば、VELTOL PLUS）、フィルバートン、４-ヒドロキシ-２，５-ジメチル-３（２Ｈ）フラノン（FURANEOL）、グアイアコール、メープルフラノン、２-アセチルピラジン、２，５-ジメチルピラジン、バニリン、およびそれらの組み合わせが挙げられる。
グリーン化合物の非限定的な例としては、アミルグリコール酸アリル、シクロガルバネート、1-（５，５-ジメチル-1-シクロヘキセン-1-イル）-４-ペンテン-1-オン（DYNASCONE）、ガルバノレン、ガルバナム、トランス-２-ヘキセナール、シス-３-ヘキセノール。ヘキセン-1-オール、シス-３-ヘキセニルアセテート、シス-３-ヘキセニルブチレート、ギ酸シス-３-ヘキセニル、サリチル酸シス-３-ヘキセニル、リファロム、２-メトキシ-２-メチルヘプタン、オクチン炭酸メチル、ネオフォリオーネ、2,6-ノナジエナール、(2R,4S)-2 -メチル-4-プロピル-1,3-オキサチアン(OXANE)、オクタヒドロ-5-メトキシ-4. 7-メタノ-1H-インデン-2-カルボキシアルデヒド(SCENTENAL)、N-(5-メチルヘプタン-3-イリデン)ヒドロキシルアミン(STEMONE)、酢酸スチリル、2,4-ジメチルシクロヘキシ-3-エン-1-カルバルデヒド、2,4-ジメチルシクロヘキシ-3-エン-1-カルバルデヒド（TRIPLAL）、ウンデカベルトール、ビオニル、バイオレットメチルカーボネート（例えば、VIOLET T）、バイオレット葉抽出物、およびそれらの組み合わせが挙げられる。
甘草化合物の非限定的な例としては、アニス、アネトール、およびそれらの組み合わせが挙げられる。
ハーブ化合物の非限定的な例としては、アネトール、バンブーケトン、カントキサル、カルバクロール、l-カルボン、クラリセージ天然油、p-サイメン、ダイコンエーテル、２，６-ジメチルヘプタン-２-オール（DIMETOL）、メントール、サリチル酸メチル、チモール、天然バジル油、天然ユーカリ油、ユーカリプトール、甘味天然フェンネル油、天然スギ葉油、およびそれらの組み合わせが挙げられる。
【００２７】
マリン化合物の非限定的な例としては、８-メチル-１，５-ベンゾジオキセピン-３-オン（Calone １９５１）、３-（４-エチルフェニル）-２，２-ジメチルプロパナール（floralozone）、４-ｔｅｒｔ-ブチルフェニルアセトニトリル（MARENIL）、４-［（３Ｅ）-４，８-ジメチルノナ-３，７-ジエニル］ピリジン（MARITIMA）、ミラックアルデヒド、ウルトラアズール、およびそれらの組み合わせが挙げられる。
ムスク化合物の非限定的な例としては、１７-オキサシクロヘプタデク-６-エン-１-オン（アンブレットリド）、５-シクロヘキサデセン-１-オン（AMBRETONE）、（３ａＲ，５ａＳ，９ａＳ，９ｂＲ）-3a,6,6,9a-テトラメチルドデカヒドロンナフト[2,1-b]フラン（AMBROXAN）、2,2,6-トリメチル-α-プロピルシクロヘキサンプロパノール（Dextramber）、16-オキサシクロヘキサデカン-1-オン（EXALTOLIDE）、ガラキソライド、（（１２Ｅ）-１-オキサシクロヘキサデック-１２-エン-２-オン（ハバノライド）、［２-［１-（３，３-ジメチルシクロヘキシル）エトキシ］-２-メチルプロピル］プロパノエート（HELVETOLIDE）、（１'Ｒ）-３-メチル-５-（２，２，３-トリメチルシクロペンタン-１-イル）-２-ペンタノン、（５Ｅ）-３-メチルシクロペンタデック-５-エン-1-オン（MUSCENONE）、1, 4-ジオキサシクロヘプタデカン-5,17-ジオン（Musk T）、3-メチルシクロペンタデカン-1-オン（L-Muscone）、1-( 1, 1, 2, 6-テトラムエチル-3-プロパン-2-イル-2. 3-ジヒドロインデン-5-イル）エタノン（TRASEOLIDE）、1 -(3,5,5,6,8,8-ヘキサメチル-6,7-ジヒドロナフタレン-2-イル)エタノン（TONALID）、およびそれらの組み合わせ。
ピニー化合物の非限定的な例としては、L-ボルネオール、L-ボルニルアセテート、カンフェン、樟脳ガム粉末、ジヒドロテルピネオール、b-ピネン、およびそれらの組み合わせが挙げられる。
パウダリー化合物の例としては、限定されないが、ヘリオトロピンおよび／またはウイスキーラクトン（メチルオクタラクトン）が挙げられる。
スパイシー化合物の非限定的な例としては、アセチルイソオイゲノール、デルタカリオフィレン、カルダモン油、シンナムアルデヒド、クミンアルデヒド、オイゲノール、イソオイゲノール、ペリラアルデヒド、カルダモン油、クローブ油、ショウガエキス、ショウガ油、黒胡椒エキス、およびそれらの組み合わせが挙げられる。
【００２８】
ウッディおよび／またはアンバー化合物の非限定的な例としては、アンバーコア、アンバーエクストリーム、アンブレトール、（4aR,5R,7aS,9R)-オクタヒドロ-2,2,5,8,8, 9a-ヘキサメチル-4H-4a,9-メタノアズレノ[5,6-d]-1,3-ジオキソール（AMBROCENIDE）、（3aR,5aS,9aS,9bR）-3a,6,6,9a-テトラメチルドデカヒドロナフト[2．1-ｂ］フラン（AMBROXAN）、２-エチル-４-（２，２，３-トリメチル-３-シクロペンテン-1-イル）-２-ブテン-1-オール（BACDANOL）、エトキシメトキシシクロドデカン（Boisambrene Forte）、１，１，２，３，３-ペンタメチル-２，５，６，７-テトラヒドロインデン-４-オン（Cashmeran）、（２Ｒ，５Ｓ，７Ｒ，８Ｒ）-８-メトキシ-２，６，６，８-テトラメチルトリシクロ［5.3,1,01,5]ウンデカン(Cedramber)、セダノール、シダーウッドオイル、(1S,2R,5S,7R,8R)-2,6,6,8-テトラメチルトリシクロ[5.3.1.01,5]ウンデカン-8-オール（Cedrol）、2,2,6-トリメチル-α-プロピルシクロヘキサンプロパノール（Dextramber）、3-メチル-5-（2,2,3-トリメチル-3-シクロペンテン-イル）-4-ペンテン-2-オール（EBANOL）、(Ｒ，Ｅ）-２-メチル-４-（２，２，３-トリメチルシクロペント-３-エニル）ブタ-２-エン-１-オール（HINDINOL）、ヒノキチオール、ＤＨ-β-イオノン、（ｌＲ，２Ｓ）-１-メチル-２-［（１Ｒ，３Ｓ，５Ｓ）-１，２，２-トリメチル-３-ビシクロ［3.1.0]ヘキサニル]メチル]シクロプロピル]メタノール（JAVANOL）、（５-ブタン-２-イル）-２-（２，４-ジメチル-１-シクロヘキサ-３-エニル）-５-メチル-１，３-ジオキサン（karanal）、２，４-ジメチル-２-（１，１，４，４-テトラメチルテトラリン-６-イル）-１，３-ジオキソラン（OKOUMAL）、１-（１，２，３，４，５，６，７，８-オクタヒドロ-2,3,8,8-テトラメチル-2-ナフチル）エタン-1-オン（ORBITONE）、2-エチル-4-[(1R)-2,2,3-トリメチル-3-シクロペンテン-1-イル]-(2E)-ブテン-1-オール（LEVOSANDOL）、パチュリーオイル、ポリサントール、ルボフィックス、サンダルウッド、およびそれらの組み合わせが挙げられる。
【００２９】
特定の実施形態では、フレグランス組成物は、そのようなフレグランス化合物を含むエッセンシャルオイルの使用を介して、開示されたフレグランス化合物の１つ以上を構成することができる。同様に、フレグランスアコードは、エッセンシャルオイルの化合物であり得るか、またはエッセンシャルオイルから構成され得る。エッセンシャルオイルは、植物からの揮発性芳香族化合物を含む濃縮疎水性液体である。多くのエッセンシャルオイルは、一定量の、例えば、メントール、イオノン、または本明細書に開示された他の香料化合物を含むことができる。
本発明の香料組成物は、香料担体および香料基剤からなる群から選択される少なくとも１種の成分を含有するか、または含有することができる。そのような組成物はまた、少なくとも１つのフレグランスアジュバントから構成され得る。
フレグランス担体は、液体または固体であることができ、典型的には、フレグランス成分の嗅覚特性を著しく変化させることはない。フレグランス担体の非限定的な例としては、乳化システム、カプセル化材料、天然または改変された澱粉、ポリマー、ガム、ペクチン、ゲル状または多孔性の細胞材料、ワックス、および典型的にはフレグランス用途に使用される溶媒が挙げられる。
フレグランスベースとは、少なくとも1つの香料の副添加剤からなる組成物を指す。一般的に、これらの副添加剤は、アルコール類、アルデヒド類、ケトン類、エステル類、エーテル類、アセタール類、オキシム類、アセテート類、ニトリル類、テルペン類、飽和および不飽和炭化水素類、天然または合成のエッセンシャルオイルなどの化学クラスに属するが、これらに限定されるものではない。
【００３０】
開示された主題に従ったフレグランス組成物は、様々な副添加剤と溶媒の単純な混合物の形態であってもよいし、エマルションやマイクロエマルションのような二相性のシステムの形態であってもよい。このようなシステムは、当業者にはよく知られている。
香料に使用される溶剤の例としては、以下のものが挙げられるが、これらに限定されるものではない。ジプロピレングリコール、フタル酸ジエチル、ミリスチン酸イソプロピル、安息香酸ベンジル、２-（２-エトキシ）-１-エタノール、クエン酸エチル、エタノール、水／エタノール混合物、リモネンまたは他のテルペン、商標Isopar（テキサス州ヒューストン、エクソンモービルケミカルズ）として知られているようなイソパラフィン、および商標Dowanol（ミシガン州ミッドランド、ダウケミカルカンパニー）として知られているようなグリコールエーテルおよびグリコールエーテルエステルが挙げられるが、これらに限定されるものではない。
特定の実施形態では、現在開示されている主題は、空気の立方フィート当たり少なくとも１ナノグラム、空気の立方フィートあたり少なくとも５ナノグラム、空気の立方フィートあたり少なくとも１０ナノグラム、空気の立方フィートあたり少なくとも１５ナノグラム、空気の立方フィートあたり少なくとも２５ナノグラム、空気の立方フィートあたり少なくとも３５ナノグラム、または空気の立方フィートあたり少なくとも５０ナノグラムの前記１種以上の化合物の濃度を提供するのに十分な量の現在開示されている１種以上の香料化合物からなる香料組成物を含むことができる。
【００３１】
4. 消費者製品における組成物の使用
特定の実施形態では、本開示の組成物は、消費者製品の一部として製剤化される。そのような消費者製品は、調合者によって選択される任意のプロセスによって、任意の適切な形態で調製することができる。
特定の実施形態では、本開示の主題の組成物は、組成物が睡眠効果を提供する香りとして配合される香りの調合物に関するものであり、得られた香りの組成物は、必要に応じて、例えば、パルファム、コロン、シャンプー、リンス、スキンケア、ボディシャンプー、ボディリンス、ボディパウダー、芳香剤、消臭剤、浴用剤などに、必要に応じて補助材料と組み合わせて使用することができる。
特定の実施形態では、本開示の消費者製品は、エアケア製品（例えば、キャンドル、エアゾール、芳香剤、液体電気芳香剤、フレグランスディフューザー、ゲル芳香剤、プラグイン芳香剤など）；ホームケア製品（例えば、洗濯用洗剤、柔軟剤、クリーナー、ドライヤーシートなど）；大人、子供または赤ちゃんのためのパーソナルケア製品（例えば、ローション、クリーム、ワイプ、ボディウォッシュ、ハンドソープ、シャンプー、コンディショナー、石鹸など）；サニタリー製品（例えば、タオル、トイレットペーパー、ティッシュペーパー、ウェットティッシュペーパー、ハンカチ、ウェットタオルなど）；ペットケア製品；ファインフレグランス（例えば、パルファム、オードパルファム、コロン、オードトワレなど）；化粧品（例えば、スキンクリーム、クレンジングクリーム、ナイトクリーム、ハンドクリーム、化粧水、アフターシェーブローション、ボディローション、リップクリーム、タルカムパウダー、シワ対策及び／又はアンチエイジング化粧品、マッサージオイル等）；毛髪化粧品（例えば、シャンプー、リンス、コンディショナー、リンスインシャンプー、ヘアスタイリング剤等）；入浴剤（例えば、粉末入浴剤、固体発泡性入浴剤、バスオイル、泡風呂、入浴剤等 )；遊びのための製品（例えば、ぬいぐるみ、人形など）；寝具製品（例えば、枕、マットレス、マットレスパッドなど）；医薬品（例えば、絆創膏、軟膏、座薬、錠剤、液体医薬品、カプセル、顆粒など）であり得るが、これらに限定されない。
【００３２】
特定の実施形態では、開示された主題は、本明細書に記載されたような消費者製品における本明細書に記載された組成物の使用を提供する。
特定の実施形態では、組成物は、夜間の睡眠時間の持続時間を増加させるための製品の一部として配合することができる。
特定の実施形態では、組成物は、夜間の覚醒時間の持続時間を減少させるための製品の一部として配合することができる。
特定の実施形態では、組成物は、全体的な睡眠量を増加させる（すなわち、夜間の間の睡眠時間の持続時間を増加させ、夜間の間の覚醒時間の持続時間を減少させる）ための製品の一部として配合することができる。
特定の実施形態では、組成物は、睡眠誘発性または鎮静性を有する製品の一部として配合され得る。
特定の実施形態では、組成物は、レム睡眠の持続時間を増加させる製品の一部として配合することができる。
特定の実施形態では、組成物は、深い睡眠の持続時間を増加させるための製品の一部として配合することができる。
【００３３】
特定の実施形態では、組成物は、式によって計算されるように、睡眠の全体的な効率を増加させるための製品の一部として配合することができる。
睡眠効率  ＝  100 ＊ 総睡眠時間／（総睡眠時間＋起きている時間＋睡眠中の不安な時間）
特定の実施形態では、組成物は、睡眠の全体的な持続時間および効率を増加させるための製品の一部として配合することができる。
【００３４】
特定の実施形態では、組成物は、総覚醒時間、総睡眠時間、睡眠効率、レム睡眠分数、軽睡眠分数、および深睡眠分数のうちの1つまたは複数を改善するための製品の一部として配合することができる。
特定の実施形態では、主題開示は、睡眠改善効果を提供する組成物を消費者製品に組み込む方法に関する。特定の実施形態では、方法は、（ａ）少なくとも１つの消費者製品を提供すること、および（ｂ）消費者製品を、少なくとも１つ、２つ、３つ、または４つの香料化合物からなる組成物と組み合わせることを含むことができる。特定の実施形態では、そのような組成物は、対象者の典型的な就寝前に投与することができる。
一実施形態では、少なくとも１種、２種、３種、または４種の化合物からなる組成物をエアケア製品などの消費者製品に添加することにより、当該製品を使用する対象者の睡眠時間を、当該組成物を含まない消費者製品を使用する対象者の睡眠時間と比較して、当該製品を使用する対象者の睡眠時間を増加させ、および／または睡眠の質を改善することができる。例えば、２つの化合物からなる組成物を、空気清浄剤のような消費者製品に添加することができ、これは、対象者の典型的な就寝時間の前に対象者によって利用され、対象者に１つ以上の睡眠の利点を効果的に提供する。
消費者に１つ以上の睡眠の利点を提供するために消費者製品にアドミックスされた組成物の濃度は、例えば、特定の消費者製品、消費者製品の物理的形態（例えば、液体、気体、または固体）、および消費者製品に既に存在するどのようなフレグランス化合物およびその濃度など、多くの変数に基づいて変化することができる。
消費者に1つ以上の睡眠の利点を提供するために、香料組成物の幅広い濃度を採用することができる。本開示の特定の実施形態では、フレグランス組成物を消費者製品にアドミックスすることができ、組成物は、約1から約9000 ppm、または約5から約7500 ppm、または約10から約5000 ppm、約50から約2500ppm、または約100から約1000ppm、または約250から約500ppm、およびその間の任意の値の量で消費者製品中に存在することができる。
本開示の特定の実施形態では、香料組成物は、組成物が約0.0001重量％から約90重量％、または約0.001重量％から約75重量％、または約1重量％から約50重量％、または約5重量％から約25重量％、または約10重量％から約15重量％、およびそれらの間の値の量で存在する消費者製品にアドミックスすることができる。
【００３５】
特定の実施形態では、消費者製品は、さらに、１種以上の基材、溶媒、およびそれらの組み合わせを含むことができる。
特定の実施形態では、基材には、エッセンシャルオイル、ラクトン、アルデヒド、アルコール、ケトン、ニトリル、エステル、アミド、オキシム、その他の香料化合物、および香料の副原料が含まれるが、これらに限定されるものではない。
特定の実施形態では、溶媒には、ジプロピレングリコール、プロピレングリコール、フタル酸ジエチル（DEP）、フタル酸ジイソノニル（DINP）、安息香酸ベンジル、ベンジルアルコール、ミリスチン酸イソプロピル（IPM）、パルミチン酸イソプロピル（ＩＰＰ／デルチルプライム）、ステアリン酸ブチル、アジピン酸ジオクチル、クエン酸トリエチル、水添ロジン酸メチル（ＣＡＳ番号８０５０-１５-５）、テルペン類（例えば、Glidsol 100）、パラフィン系ナフテン系溶剤（例えば、LPA-170ソルベント）、イソアルカン類（例えば、Soltol 170イソパラフィン）、イソパラフィン類、イソオクタデカノール（例えば、Tego Alkanol 66）、フェノキシエタノール、ジエチレングリコールモノエチルエーテル（カルビトール低比重）、グリコールエーテル（メチルカルビトール）、ジプロピレングリコールメチルエーテル（例えば、ダウノールＤＰＭ）、ジプロピレングリコールメチルエーテルアセテート（例：ダウアノールDPMA）、プロピレングリコールメチルエーテル（例：ダウアノールPMグリコールエーテル）、トリプロピレングリコールメチルエーテル、フタル酸ジイソヘプチル（例：エクソンから入手可能なJayflex 77）、ジメチルアジペート/ジメチルグルタル（例：FLEXISOLV から入手可能なDBE-LVP エステル）、2,2-ジメチル-4-ヒドロキシメチル-1,3-ジオキソランのラセミ混合物（オーゴクリーンマルチソルベント）、アルコール４０Ｂ無水２００プルーフ、アルコールSDA40B190プルーフ、トリアセチン、３-メトキシ-３-メチル-１-ブタノール（Solfit）、ラウリン酸ベンジル、トリプロピレングリコールメチルエーテル（例：ダウアノールTPM）、ジプロピレングリコールｎ-ブチルエーテル（例えば、ダウアノールDPNB）、ジメチルシロキサン、トリメチルシロキシ末端（例えば、ダウアノールコーニング200液）、カプリル／カプリルトリグリセリド（例えば、ネオビーＭ-５）、プロピレングリコール及びオレイン酸グリセリル（例えば、アーラセル186）、Uniceth-IC20L（例えば、アーラソルブ２００Ｌ）、1,3-プロパンジオール、ブチルセロソルブ、ヘキシレングリコール、グリセリン、ステアリン酸Ｎ-メチル、イソプロピルアルコール、２-メチル-１，３-プロパンジオール（例えば、ＭＰジオールグリコール）、クエン酸ジエチル、クエン酸トリエチルアセチル、イソペンチルジ酢酸（ＩＰＤ-ＡＣ）、ジメチル２-メチルペンタンジオエート（例えば、Rhodiasolv Iris）、中鎖トリグリセリド（MTC）、テルペン炭化水素（例えば、ジペンテン5100）、ＤＬ-リモネン（例えば、ＤＬ-リモネン）。Rhodiasolv Iris）、中鎖トリグリセリド（MTC）、テルペン炭化水素（例えば、ジペンテン5100）、DL-リモネン（例えば、ジペンテン122）、3,5,5-トリメチルヘキシルアセテート、マロン酸ジエチル、リモネン（例えば、ユニテンD）、酢酸シクロヘキシル、パラ-tertiary-ブチル（例えば、Vertenex）、酢酸エチル、およびコハク酸ジエチルなどが含まれるが、これらに限定されるものではない。
【００３６】
特定の実施形態では、消費者製品は、消費者製品の総重量に基づいて、約0.1％から約99％、または約1％から約80％、または約5％から約55％、または約10％から約50％の溶媒を含むことができ、前記溶媒は、シクロペンタシロキサン、エタノール、水、プロピレングリコール、ジプロピレングリコール、およびそれらの混合物から選択され得、0％から約30％、または0％から約20％、または0.1％から4％、または0.1％から4％、または0.1％から4％の構造化剤、残渣マスカー、抗菌剤、およびそれらの混合物からなる群から選択される材料を含むことができる。
別の実施形態では、消費者は、ビルダー、キレート剤、染料移動阻害剤、分散剤、酵素、および酵素安定剤、触媒材料、漂白活性剤、過酸化水素、過酸化水素源、予め形成された過酸、高分子分散剤、粘土土除去／抗再付着剤、光沢剤、泥水抑制剤、染料、色相染料、香料、フレグランス、フレグランスデリバリーシステム、構造弾性剤、担体、構造剤、ヒドロロープ、加工助剤、前記可溶化剤に加えて溶媒、シリコーンポリマー、多糖類、クレー、脂肪酸エステル、分散性ポリオレフィン、ポリマーラテックスおよびそれらの混合物、顔料、およびそれらの混合物からなる群から選択される柔軟剤活性剤からなる群から選択される成分を含むことができる。
別の特定の実施形態では、消費者製品は、消費者製品の総重量に基づいて、0.1%から99%まで、または約1%から約80%まで、または約5%から約70%まで、または約10%から約50%までの溶媒を含むことができ、ここで前記溶媒は、水、グリセリン、およびそれらの混合物から選択され得、約0%から約50%まで、または約0%から約40%まで、または約0.1%から約30%まで、または約0.1%から約30%まで、または約0. 約0％から約50％、約0％から約40％、または約0.1％から約30％、または約0.1％から約15％の構造化剤、保湿剤、界面活性剤、抗菌剤、およびそれらの混合物からなる群から選択される材料を含むことができる。
【００３７】
本明細書に開示されたフレグランス化合物、アコード、および組成物は、エアケアデバイスで使用するためのエアケア組成物中での使用に適している。用語「エアケアデバイス」は、任意の適切なサイズ、形状、形態、または構成において、揮発性物質の少なくとも一部の蒸発を可能にする任意の適切な表面を含む。エアケアデバイスは、天然材料、人工材料、繊維状材料、非繊維状材料、多孔質材料、非多孔質材料、およびそれらの組み合わせを含むがこれらに限定されない、揮発性材料の蒸発を提供する任意の適切な材料から作られ得る。非限定的な例としては、ろうそくが挙げられる。エアケアデバイスの他の例としては、エアゾール、芳香剤、液体電気芳香剤、フレグランスディフューザー、ゲル芳香剤、プラグイン式芳香剤、プラグイン式オイル、およびワックスメルトが挙げられる。
エアケアデバイス（例えば、ウィッキングデバイス）は、芳香剤、消臭剤、殺菌剤または殺虫剤活性剤などの揮発性液体を大気中にディスペンスするために知られている。典型的なエアケアデバイスは、液体リザーバから揮発性液体をディスペンスするために、ウィックと発散領域の組み合わせを利用する。理想的には、エアケア装置は、ほとんどまたは全くメンテナンスを必要とせず、装置の寿命にわたってその放出完全性を維持しながら、揮発性物質を安定した制御された速度で指定された領域にディスペンスすることを可能にする方法で実行されるべきである。
特定の実施形態では、エアケア組成物は、芳香剤に組み込むことができる。芳香剤は、スプレー、製品のプラグイン、ゲルタイプの芳香剤、膜タイプの芳香剤、ネブライザー、ディフューザー、およびポプリを含むことができるが、これらに限定されない。
ある実施形態では、本明細書に記載されたエアケア組成物は、電気液体芳香剤装置での使用のためのものであり得る。用語「電気的液体芳香剤デバイス」または「液体電気的芳香剤」は、加熱された液体ウィック送達システム、圧電噴霧システム、エレクトロスプレーデバイスまたはベンチュリーデバイスを含む、電気的または電池で作動するエネルギー源を含むデバイスまたはシステムを指す。電気式液体芳香剤装置の商業的な例としては、SCジョンソン＆サンズ社から販売されているGlade Plugins香油、Reckitt Benckiser社から販売されているAir Wick香油およびAir Wick X-Press香油、Proctor & Gamble社から販売されているFebreze Noticeables、Yankee Candle社から販売されている電気家庭用芳香剤、およびHenkel AG社から販売されているRenuzit香油が挙げられるが、これらに限定されるものではない。別の実施形態では、香料組成物は、非通電式芳香剤装置での使用のために粘度を増加させるために、ゲルまたはワックスと混合される。
【００３８】
特定の実施形態では、キャンドルは、パラフィンワックスキャンドル、蜜蝋キャンドル、大豆ベースのキャンドル、タロウキャンドル、およびゲルキャンドルであり得る。ろうそくは、ろうそくの本体に中央に配置されたろうそく芯を有することができる。キャンドルは、エアケア組成物を提供し、フレグランス化合物、アコード、または組成物の連続的な送達を達成する。
別の好適な実施形態では、エアケア組成物は、部屋または他の閉鎖された領域の空気を噴霧するためのエアゾールである。そのようなエアゾール組成物は、香料組成物のアルコール性または水性調製物、推進剤、界面活性剤、乳化剤、および防腐剤を含むことができる。
現在開示されている消費者製品の別の側面において、前記消費者製品は、ビルダー、キレート剤、染料移動阻害剤、分散剤、酵素、酵素安定剤、触媒物質、漂白活性剤、過酸化水素、過酸化水素源からなる群から選択される成分を含むことができる、クリーニングおよび／または布地またはハードトリートメント組成物などのホームケア製品であり得る。予め形成された過酸類、高分子分散剤、粘土質土壌除去・再付着防止剤、光沢剤、防汚剤、染料、色相染料、香料、フレグランスデリバリーシステム、構造弾性剤、担体、構造剤、ハイドロトロペス、加工助剤、前記可溶化剤に加えて溶剤、４級アンモニウム化合物、シリコーンポリマー、シリコーンポリマーからなる群から選択される柔軟剤活性剤、多糖類、クレー、アミン、脂肪酸エステル、分散性ポリオレフィン、ポリマーラテックスおよびそれらの混合物、顔料およびそれらの混合物などの有機酸、例えばクエン酸および／または乳酸、水添ヒマシ油、エトキシル化ポリエーテルイミン、例えばPEI 600 EO 20および／またはPEI 600などのエトキシル化ポリエーテルイミン、酵素、例えば冷水アミラーゼ、冷水プロテアーゼおよび／またはキシログルコナーゼなどの酵素を含むことができるが、これらに限定されない。
【００３９】
本明細書に開示された香料化合物、アコード、および組成物は、パーソナルケア組成物での使用に特に適している。パーソナルケア組成物は、構造剤（例えば、コーン、コメ、ジャガイモ、小麦などの生デンプン、カラギーナン、キサンタンガムなど）、保湿剤（例えば、多価アルコール、グリセリンなど）、脂肪酸、無機塩（例えば、硝酸マグネシウム、リン酸三マグネシウム、塩化カルシウム、炭酸ナトリウム、硫酸アルミニウムナトリウム、リン酸二ナトリウム、ポリメタリン酸ナトリウム、コハク酸マグネシウムナトリウム、ナトリウムトリポリリン酸塩、硫酸アルミニウム、塩化アルミニウム、クロロヒドリン酸アルミニウム、トリクロロヒドリン酸アルミニウム-ジルコニウム、トリクロロヒドリン酸アルミニウム-ジルコニウムグリシン錯体、硫酸亜鉛、塩化アンモニウム、リン酸アンモニウム、酢酸カルシウム、硝酸カルシウム、リン酸カルシウム、硫酸カルシウム、硫酸第二鉄、塩化マグネシウム、硫酸マグネシウム、ピロリン酸四ナトリウム等）、および抗菌剤（例えば、カルバニリド、トリクロカルバン、トリクロサン、ハロゲン化ジフェニルエーテル、ヘキサクロロフェン、3,4,5-トリブロモサリチルアニリド、および2-ピリジネチオール-L-オキシドの塩、サリチル酸など)、または他の活性剤(例えば、非限定的な例によって、抗フケ活性剤)が挙げられる。パーソナルケア組成物は、多数の形態をとることができる。好適なパーソナルケア組成物は、リンスオフ型および固体形態の両方を含むことができる。
例示的な液体リンスオフパーソナルケア組成物は、約５％から約９５％、または約６０％から約８５％のレベルで存在し得る水などの水性担体を含むことができる。非水性担体もまた採用することができる。
そのようなリンスオフパーソナルケア組成物は、１種以上の洗浄性界面活性剤を含むことができる。
【００４０】
界面活性剤の代表的な非限定的リストは、ラウリル硫酸アンモニウム、ラウレス硫酸アンモニウム、ラウレス硫酸トリエチルアミン、ラウレス硫酸トリエチルアミン、ラウレス硫酸トリエタノールアミン、ラウレス硫酸トリエタノールアミン、ラウレス硫酸モノエタノールアミン、ラウレス硫酸モノエタノールアミン、ラウレス硫酸モノエタノールアミン、ラウレス硫酸モノエタノールアミンを含む。ラウリル硫酸ジエタノールアミン、ラウレス硫酸ジエタノールアミン、ラウリルモノグリセリド硫酸ナトリウム、ラウリル硫酸ナトリウム、ラウレス硫酸ナトリウム、ラウリル硫酸カリウム、ラウレス硫酸カリウム、ラウリルサルコシンナトリウム、ラウロイルサルコシンナトリウム、ラウリルサルコシン、ココイルサルコシン。ココイル硫酸アンモニウム、ラウロイル硫酸アンモニウム、ココイル硫酸ナトリウム、ラウロイル硫酸ナトリウム、ココイル硫酸カリウム、ラウリル硫酸カリウム、ラウリル硫酸トリエタノールアミン、ラウリル硫酸トリエタノールアミン、ラウリル硫酸トリエタノールアミン、ココイル硫酸モノエタノールアミン、ラウリル硫酸モノエタノールアミン、トリデシルベンゼンスルホン酸ナトリウム、ドデシルベンゼンスルホン酸ナトリウム、ココイルイセチオネートナトリウム、３-ドデシルアミノプロピオネートナトリウム、３-ドデシルアミノプロパンスルホン酸ナトリウム、ラウロアンフォアセテートナトリウム、ココイルアンフォアセテートナトリウム、ラウロアンフォアセテート二ナトリウム、ココイルアンフォアセテート二ナトリウム、およびココアミドプロピルベタインを含む。
リンスオフパーソナルケア組成物はまた、ベネフィット剤を含むことができる。好適な利益剤の非限定的な例としては、ペトロラタム、モノオレイン酸グリセリル、ヒマシ油、ベニバナ油、コーン油、クルミ油、ピーナッツ油、オリーブ油、タラ肝油、アーモンド油、アボカド油、パーム油、ゴマ油、植物油、ヒマワリ種子油、大豆油、植物油誘導体、ココナッツ油、および誘導体化ココナッツ油、綿実油及びその誘導体化綿実油、ホホバ油、カカオバター、パルミチン酸イソプロピル、ミリスチン酸イソプロピル、リコノレイル酸セチル、リコノレイル酸ステアリル、ラウリン酸ヘキシル、ラウリン酸イソヘキシル ミリスチン酸ミリスチル、パルミチン酸イソヘキシル、オレイン酸デシル、オレイン酸イソデシル、ステアリン酸ヘキサデシル、ステアリン酸デシル、イソステアリン酸イソプロピル、アジピン酸ジイソプロピル、アジピン酸ジイソヘキシル、アジピン酸ジヘキシルデシル、セバシン酸ジイソプロピル、イソノナン酸アシル、乳酸ラウリル、乳酸ミリスチル、乳酸セチル、ジステアリン酸デカグリセリル、ジイソステアリン酸デカグリセリル、モノミリオン酸デカグリセリル、デカグリセリルモノラウレート、ヘキサグリセリルモノオレエート、およびそれらの混合物を含むことができる。
固体（すなわち、流動性のない）パーソナルケア組成物は、粉末、ペレット、バーなどのような多くの形態をとることができ、慣用の石鹸、合成界面活性剤、または石鹸と合成界面活性剤の混合物を含むことができる。
本明細書に開示されたフレグランス化合物の利点は、そのようなフレグランス化合物を適用するために、送達システムを採用することによって、さらに向上させることができる。そのような送達システムには、以下のものが含まれるが、これらに限定されない：ポリマーアシスト送達（ＰＡＤ）；マトリックスシステム；リザーバーシステム（例えば、コアシェル技術）；分子アシスト送達（ＭＡＤ）；シクロデキストリン（ＣＤ）；デンプンカプセル化アコード（ＳＥＡ）；およびゼオライトおよび無機担体（ＺＩＣ）。このような送達システムを採用するための適切なプロセスは、当技術分野でよく知られている。
ある側面において、フレグランス送達システムは、ポリマーアシスト送達（ＰＡＤ）システム、分子アシスト送達（ＭＡＤ）システム、シクロデキストリン（ＣＤ）システム、スターチカプセル化アコード（ＳＥＡ）システム、ゼオライト及び無機担体（ＺＩＣ）システムからなる群から選択され得、ここで、前記フレグランス送達システムは、本開示に開示されたフレグランス化合物を含むことができる。特定の実施形態では、本発明の１種以上の香料化合物からなる香料送達システムを消費者製品に採用することができる。
【００４１】
5. 睡眠の量と質の向上
特定の実施形態では、現在開示されている主題の組成物は、対象者に1つ以上の睡眠利点を提供するのに有効な量で投与される。特定の実施形態では、現在開示されている主題の組成物は、臨床的な睡眠問題を有する人など、それを必要とする対象者に1つ以上の睡眠の利点を提供するのに有効な量で投与される。
【００４２】
5.1 睡眠の量または質をモニタリングする方法
香りに暴露された被験者の睡眠量および／または睡眠の質は、以下の方法でモニターすることができるが、これらに限定されるものではない：睡眠ポリグラフ（PSG）；ウェアラブル睡眠およびフィットネスモニタリングデバイス（例えば、Fitbit Ionic Fitbit Charge 2、Fitbit Alta HR、Jawbone Up3のブランド名で販売されているデバイス）；非ウェアラブル睡眠トラッカー（例えば、Ballistocardiographyを利用したものなどEmfit QS）、特許取得済みの非接触無線周波数技術による呼吸および身体の動きのモニタリング（（例えば、S+  by ResMed Personal Sleep Solution）、マットレスセンサー（例えば、Beddit 3 Smart Sleep SolutionのS+）、脳波電極ヘッドバンド、リストアクチグラフ（例：AMI MotionLogger）、およびそれらの組み合わせ。
本開示の香料組成物に曝露された被験者の睡眠量または睡眠の質は、一実施形態では、ポリソムノグラフィー（ＰＳＧ）を使用してモニターすることができる。
代替的に、本開示の香料組成物に曝露された被験者の睡眠量または睡眠の質は、ブランド名Fitbitの下で販売されているような、ウェアラブルな活動モニタリング装置を使用してモニタリングすることができる。Fitbitというブランド名で販売されているものを含むがこれに限定されない、このようなフィールドベースの活動モニタリング装置は、正常な集団（すなわち、既知の睡眠障害のない集団）の睡眠時間（すなわち、睡眠量）および／または睡眠効率（すなわち、睡眠の質）の代替測定として利用できることが研究で実証されている。Fitbitは、PurePulse心拍数トラッカーと高感度モーションディテクターを搭載しており、睡眠の各段階での滞在時間と起床時の滞在時間を測定することができます。Fitbitブランドのデバイスファミリーは、デバイス内での信頼性が高いことが示されています（例えば、"Movement Toward a Novel Activity Monitoring Device", Sleep and Breathing, 2012を参照）。
【００４３】
5.2 組成物投与の方法
本開示の特定の実施形態では、本開示の１つ以上の化合物からなる組成物は、被験体の典型的な就寝前に被験体に投与することができる。特定の実施形態では、被験体は、少なくとも20秒間、本開示の香料組成物に曝される。
特定の非限定的な実施形態では、組成物は、気体または揮発性の形態で被験者に投与することができる。これらの実施形態では、組成物は、経鼻的にまたは吸入によって投与することができる。特定の実施形態では、被験体は、組成物を直接または間接的に吸入することができる。
さらなる実施形態では、組成物は、消費者製品を介して投与することができる。一つの非限定的な例では、組成物は、消費者製品にアドミックスされる。被験者は、次いで、組成物を構成する消費者製品を使用する。
【００４４】
消費者製品の使用に応じて、被験者は香りにさらされる。
特定の実施形態では、組成物は、対象者の周囲の領域に放出することができ、対象者は、次に組成物を吸入する。一つの非限定的な実施形態では、例えば、組成物は、芳香剤またはろうそくなどの消費者製品によって、または洗濯用洗剤、柔軟剤、洗濯用フレグランスエクステンダーなどの１つ以上の洗濯ケア製品で処理されたベッドリネンによって、空気中に放出されるが、これらに限定されない。
本開示の特定の実施形態では、消費者製品から放出される組成物の量は、消費者製品にアドミックスされた組成物の総濃度よりも小さくすることができる。特定の実施形態では、消費者製品から放出された組成物の量、したがって、利用可能な被験体への投与は、消費者製品にアドミックスされた組成物の量の約１％から約１００％の間であり得る。さらなる実施形態では、放出される組成物の量は、消費者製品にアドミックスされる組成物の量の約５％と約９０％の間、約１０％と約８０％の間、約２０％と約７０％の間、約３０％と約６０％の間、および約４０％と約５０％の間であり得る。
特定の実施形態において、本明細書に開示された主題は、空気の立方フィートあたり少なくとも約１ナノグラム、空気の立方フィートあたり少なくとも約５ナノグラム、空気の立方フィートあたり少なくとも約１０ナノグラム、空気の立方フィートあたり少なくとも約２５ナノグラム、空気の立方フィートあたり少なくとも約５０ナノグラムの前記少なくとも１つの化合物の濃度を提供するのに十分な量の本明細書に開示された香料化合物の少なくとも１つを含む消費者製品を含むことができる。
就寝前、就寝時、および／または就寝後に、開示された消費者製品のいずれかを、就寝前、就寝時、および／または就寝後にそのような消費者製品に曝露したときに、対象者の睡眠の質または量を増加させるのに有効な量で使用することからなる、必要としている対象者に睡眠の利点を提供する方法もまた、本明細書に開示されている。好適な一実施形態では、対象者は、少なくとも約15分、少なくとも約30分、少なくとも約1時間、少なくとも約2時間、少なくとも約3時間、少なくとも約4時間、少なくとも約5時間、少なくとも約6時間、または少なくとも約7時間の間、消費者製品に曝露することができる。
【００４５】
実施例
本願は、以下に示す実施例によってさらに説明され、ここで、略語は当技術分野における通常の意味を有する。
このような例示的な使用は、例示的なものに過ぎず、開示された主題の範囲および意味、または任意の例示的な用語の範囲および意味を制限するものではない。同様に、開示された主題は、本明細書に記載された任意の特定の好ましい実施形態に限定されるものではない。実際、開示された主題の多くの改変および変形は、本明細書を読むと、当技術分野に熟練した当業者には明らかである。したがって、開示された主題は、請求項が権利を有する等価物の完全な範囲とともに、添付の特許請求の範囲の条項によってのみ限定される。
【００４６】
実施例１．睡眠の量または質を増加させるために有効な活性化合物
一連の睡眠研究が実施された。各研究は、ブランクコントロールサンプル（無香料）のための1週間を追加して1週間実施された。各研究のパネリストの数は9〜15人であった。パネリストは、対照の瓶のセットまたは試験材料（ブロッター上の0.06gの清澄なオイル）と瓶のセットのいずれかを受け取った。2週目には順序を逆にして、各研究の終了時に各パネリストが両方の治療を受けた。
パネリストは、いかなる種類の睡眠補助剤または睡眠に影響を与える薬を服用しておらず、健康状態が良好であり、不規則な睡眠パターンまたはスケジュールがなかった。毎晩、眠る準備ができたら、パネリストは、瓶の1つを開けて鼻の下に置き、香りを嗅ぎながらゆっくりと20まで数えるように指示され、寝ている間、瓶はナイトテーブルの上に開けたままにしておいた。各研究の各セッションの終了時にFitbitの睡眠データを収集し、ANOVAで分析した。
この実施例１は、試験パネラーの睡眠の量および／または質の変化を示した化合物を開示し、上述した研究の結果を提供する。
表１は、総覚醒分数、総睡眠分数、睡眠効率、レム睡眠分数、光睡眠分数、および深い睡眠分数のうちの１つ以上によって示されるように、コントロールと比較して、本開示の香料化合物に曝露されたパネリストの睡眠の量および質の増加を要約している。
【００４７】
【表１】
2021512205.tif 000002
【００４８】
実施例２
表２に示すように、現在開示されている香料化合物を用いて、フレグランスアコード１〜８を調製した。
【００４９】
【表２】
2021512205.tif 000003
【００５０】
実施例２のフレグランスアコードを試験するために、実施例１に記載の睡眠試験（ｎ＝９〜ｎ＝１５）を行った。フレグランスアコード１は、深い睡眠の総分数の増加、総覚醒時間の減少、および睡眠効率の改善を提供した。フレグランスアコード２は、総覚醒時間数の増加、総覚醒時間数の減少、睡眠効率の向上をもたらした。フレグランスアコード３は、深い眠りの総分数を増加させた。フレグランスアコード４は、総覚醒時間を短縮し、睡眠効率を向上させました。フレグランスアコード５は、合計睡眠分数、軽度睡眠分数を増加させ、睡眠効率を向上させました。フレグランスアコード６は、深い眠りの分数と総睡眠時間を増加させました。フレグランスアコード７は、軽度の睡眠分数を増加させ、睡眠効率を向上させた。フレグランスアコード８は、軽い睡眠分数の増加を提供した。
【００５１】
実施例３
表３に示すように、現在開示されている香料化合物を用いて、フレグランスアコード９〜１２を調製した。
【００５２】
【表３】
2021512205.tif 000004
【００５３】
実施例３のフレグランスアコードを試験するために、実施例１に記載の睡眠試験（ｎ＝ｌ２〜ｎ＝ｌ７）を実施した。フレグランスアコード９は、睡眠の総分数、レム睡眠の総分数、および深い睡眠の総分数の増加を提供した。フレグランスアコード１０は、深い睡眠の総分数の増加を提供した。フレグランスアコード１１は、睡眠の総分数、深い睡眠の総分数、および睡眠効率の改善の増加を提供した。フレグランスアコード１２は、睡眠の総分数の増加、軽い睡眠の総分数の増加、覚醒の総分数の減少、および睡眠効率の改善を提供した。
【００５４】
実施例４
表４に示すように、現在開示されている香料化合物を用いて、フレグランスアコード１３〜１４を調製した。
【００５５】
【表４】
2021512205.tif 000005
【００５６】
実施例１に記載の睡眠試験（ｎ＝１４〜ｎ＝１５）を実施し、実施例４のフレグランスアコードを試験した。フレグランスアコード１３は、覚醒分数の減少と睡眠効率の向上を提供した。フレグランスアコード１４は、深い眠りの分数の増加を提供した。
【００５７】
実施例５
表５に示すように、現在開示されている香料化合物を用いて、フレグランスアコード１５〜１６を調製した。
【００５８】
【表５】
2021512205.tif 000006
【００５９】
実施例５のフレグランスアコードを試験するために、実施例１に記載の睡眠試験（ｎ＝ｌ５〜ｎ＝２６）を実施した。フレグランスアコード１５は、深層睡眠分数の増加、レム分数の減少を提供した。フレグランスアコード１６は、総睡眠分数、レム分数の増加、総覚醒分数の減少、および睡眠効率の改善を提供した。
【００６０】
実施例６
表６に示すような本開示の香料化合物を用いて、フレグランスアコード１７を調製した。
【００６１】
【表６】
2021512205.tif 000007
【００６２】
フレグランスアコード１７を試験するために、実施例１に記載の睡眠試験（ｎ＝１０）を行った。フレグランスアコード１７は、増加したレム分数、深い睡眠分数、および総睡眠分数を提供した。
【００６３】
実施例７
表７に示すように、現在開示されている香料化合物を用いて、フレグランスアコード１８を調製した。
【００６４】
【表７】
2021512205.tif 000008
【００６５】
フレグランスアコード１８を試験するために、実施例１に記載の睡眠試験（ｎ＝１４）を実施した。フレグランスアコード１８は、総覚醒時間数の減少および睡眠効率の向上を提供した。
【００６６】
実施例8
表８に示すように、現在開示されている香料組成物から、アコード１を含有する芳香性ハーブフローラルラベンダー香料組成物を調製した。本発明の香料組成物は、各種消費者製品に使用することができ、特にボディミストやボディオイルに使用するのに適している。
【００６７】
【表８】
2021512205.tif 000009
【００６８】
実施例８の香料組成物を試験するために、実施例１に記載の睡眠試験（ｎ＝ｌ４）を実施した。香料組成物は、総睡眠時間の増加、およびレム睡眠および深い睡眠の分数の増加を提供した。
【００６９】
実施例９
実施例２のアコード３および表９に示すような追加の現在開示されている香料組成物からフローラルムスク香料組成物を調製した。
【００７０】
【表９】
2021512205.tif 000010
【００７１】
実施例９の香料組成物を試験するために、実施例１に記載の睡眠試験（ｈ＝１０）を実施した。この香料組成物は、レム睡眠と深い睡眠の合計分数を増加させることができた。
【００７２】
現在開示されている主題およびその利点が詳細に記載されているが、添付の特許請求の範囲によって定義されているように、開示されている主題の精神および範囲から逸脱することなく、様々な変更、置換および変更が本明細書で行われ得ることが理解されるべきである。さらに、本開示の範囲は、本明細書に記載されたプロセス、機械、製造、物質の組成物、手段、方法、およびステップの特定の実施形態に限定されることを意図していない。当技術分野の通常の熟練者であれば、本開示の主題の開示から容易に理解できるように、本明細書に記載された対応する実施形態と実質的に同じ機能を果たすか、または実質的に同じ結果を達成するプロセス、機械、製造、物質の組成物、手段、方法、またはステップは、現在存在するか、または後に開発されるであろうが、本開示の主題に従って利用することができる。したがって、添付の特許請求の範囲は、そのようなプロセス、機械、製造、物質の組成物、手段、方法、またはステップをその範囲内に含むことを意図している。
特許、特許出願、刊行物、製品説明書、およびプロトコルは、本願の全体を通して引用され、それらの開示は、すべての目的のために、参照によりその全体が本明細書に組み込まれる。
【国際調査報告】
2021512205.tif 000011
2021512205.tif 000012
2021512205.tif 000013
2021512205.tif 000014
2021512205.tif 000015